(57)【要約】      （修正有）【課題】任意に踏み板を調整できる椅子の踏み板の構造を提供する。【解決手段】踏み板主体と挟み持ち部品を備え、踏み板主体は、椅子主体の支持棒上に実装され、踏み板主体の挟み持ち部が、支持棒上に嵌設され、また、挟み持ち部品の挟み持ち端が、支持棒のもう一端に嵌設され、挟み持ち部品の両側にある定位槽と踏み板主体の定位突出とが互いに嵌合し、踏み板主体と挟み持ち部品の間に、隙間嵌めが形成され、また、挟み持ち部品の後端にあるロック孔を利用して、ロック部品に合わせて、踏み板主体が、椅子の支持棒上に挟み持ち固定され、また、支持棒上において、任意に椅子の踏み板の位置を調整できる。【選択図】図２
0003143020.tif 000002
【実用新案登録請求の範囲】
【請求項１】
円弧状に設置され、踏み板主体に、内へ伸ばす適当な位置に、挟み持ち部が形成され、該挟み持ち部が、円弧状に設置され、挟み持ち部の開口の両側に、それぞれ、外へ伸ばす定位突出が形成される踏み板主体と、
先端に、円弧状の挟み持ち端が形成され、挟み持ち端の両側において、定位突出に合わせて、内側へ湾曲する定位槽が形成され、挟み持ち端の後端に、凹形槽口が形成され、また、槽口底部を貫通する円弧槽口があり、その凹形槽口の突出ブロック内縁に、ロック部品が嵌設され、また、ロック部品の位置に、ロック部品を設置するためのロック孔が形成される挟み持ち部品とを備える、ことを特徴とする椅子の踏み板の構造。
【請求項２】
ロック部品が、便利的に取り外す構造であることを特徴とする請求項1に記載の椅子の踏み板の構造。
【考案の詳細な説明】
【技術分野】
【０００１】
本考案は、椅子の踏み板の構造に関し、特に、任意に、踏み板を調整できる構造に関する。
【背景技術】
【０００２】
従来の椅子の踏み板構造は、図５のように、踏み板主体４０は、椅子主体５０の支持棒５２上に実装され、円弧状で、円弧に、内へ伸ばす嵌合部４１があり、該嵌合部４１の内径が、次第に拡大し、組み立てる時、図６と図７のように、該踏み板主体４０は、嵌合部４１により、椅子主体５０の支持棒５２上に実装され、まず、椅子主体５０上の椅子パッドを外して、踏み板主体４０の嵌合部品４１で、椅子主体５０の支持棒５２上に嵌合し、該支持棒５２は、上から下へ次第に拡大する円柱体で、その嵌合部４１と支持棒５２が結合される時、両者が係合することにより、踏み板主体４０が、支持棒５２上に固定され、また、椅子パッド５１を支持棒５２上にロック固定して、踏み板を有する椅子が形成される。
【０００３】
従来の構造は、次の欠点がある。
【０００４】
１、踏み板主体４０が、椅子主体５０の支持棒５２上に実装される時、まず、支持棒５２の上端にある椅子パッド５１を外して、踏み板主体４０の嵌合部４１により、支持棒５２上に嵌設し、そして、椅子パッド５１を支持棒上にロック固定し、組み立てることは、不便である。
【０００５】
２、踏み板主体４０と椅子主体５０が、嵌設固定される時、踏み板主体４０の嵌合部４１が、椅子主体５０の支持棒５２に嵌合されると、支持棒５２の所定の位置に固定され、任意に固定の位置を調整できず、使用上に不便があり、実用性が良くない。
【０００６】
３、嵌合部４１と支持棒５２が、互いに嵌合することにより固定され、該踏み板主体４０が、支持棒５２に固定されて使用される時、所定の時間に踏まれると、該嵌合部４１が、緊密に支持棒５２に係合され、使用しないため、踏み板を外す時、両者が緊密に係合しているため、外すことが容易ではなく、ユーザーにとって、不便である。
【０００７】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００８】
本考案の主な目的は、踏み板主体が、一般の円柱体である支持棒を有する椅子に適用でき、また、該椅子の踏み板の構成点数が少なく、構造が簡単で、組立てが便利であり、踏み板主体が、支持棒上に実装されて、有る所定の時間に使用された後、その踏み板主体を外す時、後方のロック部品を緩めるだけで、簡単に踏み板主体が外され、使用上、より便利になる椅子の踏み板の構造を提供する。
【課題を解決するための手段】
【０００９】
請求項１の考案は、円弧状に設置され、踏み板主体に、内へ伸ばす適当な位置に、挟み持ち部が形成され、該挟み持ち部が、円弧状に設置され、挟み持ち部の開口の両側に、それぞれ、外へ伸ばす定位突出が形成される踏み板主体と、先端に、円弧状の挟み持ち端が形成され、挟み持ち端の両側において、定位突出に合わせて、内側へ湾曲する定位槽が形成され、挟み持ち端の後端に、凹形槽口が形成され、また、槽口底部を貫穿する円弧槽口があり、その凹形槽口の突出ブロック内縁に、ロック部品が嵌設され、また、ロック部品の位置に、ロック部品を設置するためのロック孔が形成される挟み持ち部品と、を備える、ことを特徴とする椅子の踏み板の構造である。
【００１０】
請求項２の考案は、ロック部品が、便利的に取り外す構造であることを特徴とする請求項1に記載の椅子の踏み板の構造である。
【考案を実施するための最良の形態】
【００１１】
図１と図２を参照しながら、本考案は、踏み板主体１０と挟み持ち部品２０を備え、踏み板主体１０は、円弧状に設置され、該踏み板主体１０において、内側へ伸ばす適当な位置に、挟み持ち部１１が形成され、該挟み持ち部１１が、円弧状に設置され、挟み持ち部１１の開口の両側に、それぞれ、外へ伸ばす定位突出１２が形成され、挟み持ち部品２０は、先端に、円弧状の挟み持ち端２１が形成され、挟み持ち端２１の両側において、定位突出１２に合わせて、内側へ湾曲する定位槽２２が形成され、該定位槽２２の底部に、抵当部２２１が形成され、挟み持ち端２１の後端に、凹形槽口２３が形成され、また、槽口底部を貫通する円弧槽口２３１があり、その凹形槽口２３の突出ブロック２３２の内縁に、ロック部品２４が嵌設され、また、ロック部品２４の位置に、ロック部品２５を設置するためのロック孔２４１が形成され、そして、該ロック部品２５は、一般のボルトであり、また、容易に外すことができる構造であればよい。
【００１２】
また、図２を参照しながら、踏み板主体１０は、椅子主体３０の支持棒３１上に実装され、円柱状である支持棒３１に適用し、実装する時、踏み板主体１１の挟み持ち部１１を、支持棒３１上に嵌設し、また、支持棒３１のもう一端に、挟み持ち部品２０の挟み持ち端２１が、挟み持ち部１１に合わせて嵌設され、そして、挟み持ち部品２０の両側に設けられる定位槽２２と踏み板主体１０の定位突出１２が、互いに係合することにより、踏み板主体１０と挟み持ち部品２０との間において、隙間嵌めが形成され、挟み持ち部品２０の後端にあるロック部品２４で、更にロック部品２５に合わせて、踏み板主体１０を椅子３０の支持棒３１上に挟み持ち固定し、図３のように、上記の構造により、椅子の踏み板の構造が形成される。
【００１３】
また、図３と図４のように、その踏み板主体１０は、椅子主体３０の支持棒３１上に実装され、踏み板主体１０の挟み持ち部１１により、支持棒３１上に嵌設され、また、挟み持ち部品２０を利用して、挟み持ち部１１の定位突出１２に合わせて支持棒３１のもう一側に設置され、挟み持ち部１１と挟み持ち端２１が、円弧状であるため、踏み板主体１０が、円柱状の支持棒３１に適用でき、その挟み持ち部１１の両側にある定位突出１２と挟み持ち部品２０の両側にある定位槽２２とが互いに係合することにより、隙間嵌めが形成され、また、ロック部品２５により、挟み持ち部品２０の挟み持ち端２１が、支持棒３１に抵当するようになり、これにより、踏み板主体が、支持棒３１上にロック固定され、また、任意に踏み板主体１０の位置を調整できる。
【００１４】
上記の具体的な実施例によれば、次の効果が得られる。
【００１５】
１、該踏み板主体１０は、一般の円柱体である支持棒３１を有する椅子に適用でき、また、該椅子の踏み板の部品点数が少なく、構造が簡単で、組立てが便利である。
【００１６】
２、椅子主体１０が、椅子主体３０の支持棒３１に実装される時、挟み持ち部１１と挟み持ち端２１の間に、隙間嵌めが形成され、任意に踏み板主体１０の高さを調整でき、また、ロック部品２４を利用して、挟み持ち部品２０の後端にあるロック孔２４に固定され、これにより、踏み板主体１０が、椅子主体３０の支持棒３１の任意の位置に固定することができ、踏み板主体１０の実用性が向上される。
【００１７】
３、踏み板主体が、支持棒上に実装されて有る所定の時間に使用された後、その踏み板主体を外す時、後方のロック部品を緩めるだけで、踏み板主体が、簡単に外され、便利性が向上される。
【００１８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１９】
【図１】本考案が椅子の支持棒上に適用される時の立体組立て図
【図２】本考案が椅子の支持棒上に適用される時の立体分解図
【図３】本考案が椅子の支持棒上に適用される時の断面図
【図４】本考案が椅子の支持棒上に適用される時の他の断面図
【図５】従来のものが椅子の支持棒上に適用される時の立体組立て図
【図６】従来のものが椅子の支持棒上に適用される時の立体分解図
【図７】従来のものが椅子の支持棒上に適用される時の断面図
【符号の説明】
【００２０】
１０    踏み板主体
１１    挟み持ち部
１２    定位突出
２０    挟み持ち部品
２１    挟み持ち端
２２    定位槽
２２１  抵当部
２３    凹形槽口
２３１  円弧槽口
２３２  突出ブロック縁
２４    ロック部品
２４１  ロック孔
２５    ロック部品
３０    椅子主体
３１    支持棒
従来
４０    踏み板主体
４１    嵌合部
５０    椅子主体
５１    椅子パッド
５２    支持棒
【図１】
0003143020.tif 000003
【図２】
0003143020.tif 000004
【図３】
0003143020.tif 000005
【図４】
0003143020.tif 000006
【図５】
0003143020.tif 000007
【図６】
0003143020.tif 000008
【図７】
0003143020.tif 000009